(57)【要約】【課題】孔の奥までグラウトを充填でき、かつ、アンカー筋を、孔内の所定位置に設置できるようにするあと施工アンカー施工方法を提供する。【解決手段】棒状のアンカー筋２０に沿ってスライド可能にアンカー筋２０の先端部に取り付けられた、アンカー筋２０を保持する保持装置１０を、施工面２に予め形成されたアンカー孔３の孔底４までアンカー筋３０と共に押し込み（Ｓ２）、保持装置１０に設けられた注入孔１３から、孔底４と保持装置１０との間にグラウトｇを注入し（Ｓ３）、グラウトｇの注入により保持装置１０がアンカー孔３をスライドして施工面２まで達したところで、グラウトｇの注入を止め（Ｓ５）、グラウトｇが硬化した後、施工面２から保持装置１０を取り外す（Ｓ６）。【選択図】図５
2020133310.tif 000002
【特許請求の範囲】
【請求項１】
棒状のアンカー筋に沿ってスライド可能に当該アンカー筋の先端部に取り付けられた、前記アンカー筋を保持する保持装置を、施工面に予め形成されたアンカー孔の孔底まで前記アンカー筋と共に押し込む押込ステップと、
前記保持装置に設けられた注入孔から、前記孔底と前記保持装置との間にグラウトを注入する注入ステップと、
前記グラウトの注入により前記保持装置が前記アンカー孔をスライドして前記施工面まで達したところで、前記グラウトの注入を止める注入中止ステップと、
前記グラウトが硬化した後、前記施工面から前記保持装置を取り外す取外ステップと、
を含むことを特徴とするあと施工アンカー施工方法。
【請求項２】
請求項１に記載のあと施工アンカー施工方法において、
前記保持装置が、空気抜きの空気孔を更に有し、
前記押込ステップにおいて、前記空気孔から空気を抜きながら、前記保持装置を押し込み、
前記注入ステップにおいて、前記空気孔から前記グラウトが漏れ出た後に、前記空気孔を塞ぐことを特徴とするあと施工アンカー施工方法。
【請求項３】
請求項２に記載のあと施工アンカー施工方法において、
前記空気孔に空気管が取り付けられたことを特徴とするあと施工アンカー施工方法。
【請求項４】
請求項１から３のいずれか１項に記載のあと施工アンカー施工方法において、
硬化後の前記グラウトから前記保持装置を取り外すための剥離手段を前記保持装置の面に施したことを特徴とするあと施工アンカー施工方法。
【請求項５】
請求項１から４のいずれか１項に記載のあと施工アンカー施工方法において、
前記保持装置の前記アンカー筋とのスライド面、および、前記保持装置の前記アンカー孔とのスライド面に、前記保持装置が、前記グラウトの漏れを止める止水手段を有することを特徴とするあと施工アンカー施工方法。
【請求項６】
請求項１から５のいずれか１項に記載のあと施工アンカー施工方法において、
前記保持装置が、前記アンカー孔とのスライド性能が変化するスライド可変手段を有することを特徴とするあと施工アンカー施工方法。
【請求項７】
請求項１から５のいずれか１項に記載のあと施工アンカー施工方法において、
前記アンカー筋を前記施工面側で保持する施工面用保持装置を取り付けることを特徴とするあと施工アンカー施工方法。
【発明の詳細な説明】
【技術分野】
【０００１】
本発明は、コンクリート構造体にアンカー筋を設置するあと施工アンカー施工方法に関する。
【背景技術】
【０００２】
従来よりコンクリート構造体に孔が空けられ、孔内にアンカー筋がグラウトにより固定される施工が行われている。例えば、特許文献１には、躯体側面に穿孔して、当該孔にグラウト材を充填し、排出口が形成された円環状の底部と、当該底部の周縁に沿って立設された壁部と、を備える型枠を、躯体側面上に穿孔を覆うように取り付け、アンカー筋を、型枠の底部を貫通して穿孔に所定の深さまで押し込んで、余分なグラウト材を排出口から排出させ、グラウト材が硬化した後に、型枠を撤去するあと施工アンカー施工方法が開示されている。
【先行技術文献】
【特許文献】
【０００３】
【特許文献１】特開２０１６−１３０３８８号公報
【発明の概要】
【発明が解決しようとする課題】
【０００４】
しかしながら、上記技術では、穿孔の奥までグラウトが充填されたか否か等の充填具合の管理が難しく、さらに、先に充填したグラウトの反発等によって、アンカー筋がうまく挿入できない等の問題があった。
【０００５】
そこで、本発明は上記の問題点等に鑑みて為されたもので、その課題の一例は、孔の奥までグラウトを充填でき、かつ、アンカー筋を、孔内の所定位置に設置できるようにするあと施工アンカー施工方法を提供することを目的とする。
【課題を解決するための手段】
【０００６】
上記の課題を解決するために、請求項１に記載の発明は、棒状のアンカー筋に沿ってスライド可能に当該アンカー筋の先端部に取り付けられた、前記アンカー筋を保持する保持装置を、施工面に予め形成されたアンカー孔の孔底まで前記アンカー筋と共に押し込む押込ステップと、前記保持装置に設けられた注入孔から、前記孔底と前記保持装置との間にグラウトを注入する注入ステップと、前記グラウトの注入により前記保持装置が前記アンカー孔をスライドして前記施工面まで達したところで、前記グラウトの注入を止める注入中止ステップと、前記グラウトが硬化した後、前記施工面から前記保持装置を取り外す取外ステップと、を含むことを特徴とする。
【０００７】
また、請求項２に記載の発明は、請求項１に記載のあと施工アンカー施工方法において、前記保持装置が、空気抜きの空気孔を更に有し、前記押込ステップにおいて、前記空気孔から空気を抜きながら、前記保持装置を押し込み、前記注入ステップにおいて、前記空気孔から前記グラウトが漏れ出た後に、前記空気孔を塞ぐことを特徴とする。
【０００８】
また、請求項３に記載の発明は、請求項２に記載のあと施工アンカー施工方法において、前記空気孔に空気管が取り付けられたことを特徴とする。
【０００９】
また、請求項４に記載の発明は、請求項１から３のいずれか１項に記載のあと施工アンカー施工方法において、硬化後の前記グラウトから前記保持装置を取り外すための剥離手段を前記保持装置の面に施したことを特徴とする。
【００１０】
また、請求項５に記載の発明は、請求項１から４のいずれか１項に記載のあと施工アンカー施工方法において、前記保持装置の前記アンカー筋とのスライド面、および、前記保持装置の前記アンカー孔とのスライド面に、前記保持装置が、前記グラウトの漏れを止める止水手段を有することを特徴とする。
【００１１】
また、請求項６に記載の発明は、請求項１から５のいずれか１項に記載のあと施工アンカー施工方法において、前記保持装置が、前記アンカー孔とのスライド性能が変化するスライド可変手段を有することを特徴とする。
【００１２】
また、請求項７に記載の発明は、請求項１から５のいずれか１項に記載のあと施工アンカー施工方法において、前記アンカー筋を前記施工面側で保持する施工面用保持装置を取り付けることを特徴とする。
【発明の効果】
【００１３】
本発明によれば、棒状のアンカー筋に沿ってスライド可能に当該アンカー筋の先端部に取り付けられた、アンカー筋を保持する保持装置を、施工面に予め形成されたアンカー孔の孔底までアンカー筋と共に押し込み、保持装置に設けられた注入孔から、孔底と保持装置との間にグラウトを注入し、グラウトの注入により保持装置がアンカー孔をスライドして施工面まで達したところで、グラウトの注入を止め、グラウトが硬化した後、施工面から保持装置を取り外すことにより、孔の奥までグラウトを充填でき、かつ、アンカー筋を、孔内の所定位置に設置できる。
【図面の簡単な説明】
【００１４】
【図１】本実施形態に係る保持装置を模式的に示す斜視図である。
【図２】図１における保持装置を模式的に示す平面図である。
【図３Ａ】保持装置のアンカー筋への取り付けを示す説明図である。
【図３Ｂ】保持装置のアンカー筋への取り付けを示す説明図である。
【図４】既存コンクリート構造体に形成されたアンカー孔を模式的に示す縦断側面図である。
【図５】実施形態に係るあと施工アンカーの施工手順のフローチャートである。
【図６Ａ】実施形態に係るあと施工アンカーの施工手順の説明図である。
【図６Ｂ】実施形態に係るあと施工アンカーの施工手順の説明図である。
【図６Ｃ】実施形態に係るあと施工アンカーの施工手順の説明図である。
【図６Ｄ】実施形態に係るあと施工アンカーの施工手順の説明図である。
【図６Ｅ】実施形態に係るあと施工アンカーの施工手順の説明図である。
【図６Ｆ】実施形態に係るあと施工アンカーの施工手順の説明図である。
【図６Ｇ】実施形態に係るあと施工アンカーの施工手順の説明図である。
【図７Ａ】保持装置の第１変形例を示す模式図である。
【図７Ｂ】保持装置の第１変形例を示す模式図である。
【図８】保持装置の第２変形例を示す模式図である。
【図９】保持装置の第３変形例を模式的に示す平面図である。
【発明を実施するための形態】
【００１５】
以下、図面を参照して本発明の実施形態について説明する。なお、以下に説明する実施の形態は、保持装置に対して本発明を適用した場合の実施形態である。
【００１６】
［１．保持装置の構成および機能概要］
まず、本発明の一実施形態に係る保持装置の構成および概要機能について、図１から図４を用いて説明する。
【００１７】
図１は、本実施形態に係る保持装置を模式的に示す斜視図である。図２は、図１における保持装置を模式的に示す平面図である。図３Ａは、保持装置のアンカー筋への取り付けを示す説明図である。図３Ｂは、保持装置のアンカー筋への取り付けを示す説明図である。図４は、既存コンクリート構造体に形成されたアンカー孔を模式的に示す縦断側面図である。
【００１８】
図１および図２に示すように、本実施形態に係る保持装置１０は、アンカー筋２０を保持するための保持孔１１と、空気を抜くための空気孔１２と、グラウトを注入するための注入孔１３とを有する。
【００１９】
図３Ａおよび図３Ｂに示すように、保持装置１０の保持孔１１は、アンカー筋２０の先端部を保持する。空気孔１２には、空気を抜くためのエア抜き管ｐ１（空気管の一例）が取り付けられる。注入孔１３には、グラウトを注入する注入ガンを接続するための注入管ｐ２が取り付けられる。エア抜き管ｐ１および注入管ｐ２は、例えば、可撓性のチューブやホース、または、硬質なパイプである。
【００２０】
保持装置１０は、アンカー孔に挿入可能な形状を有する。例えば、図４に示すように、既存コンクリート構造体１の施工面２に、コアドリル等により、円形に空けられたアンカー孔３の場合、保持装置１０は、円柱形を有し、アンカー孔３の大きさ程度の外径である。保持装置１０の外側である円柱面は、アンカー孔３と接するスライド面になる。
【００２１】
また、保持装置１０は、中心部分にアンカー筋２０の横断面形状の保持孔１１を有するリング形状になる。例えば、アンカー筋２０の横断面形状が円形の場合、保持孔１１は、アンカー筋２０の横断面形状の大きさ程度の円形の孔である。保持孔１１は、アンカー筋２０と接するスライド面になる。
【００２２】
保持装置１０は、アンカー孔３と接する保持装置１０の外側のスライド面、および、アンカー筋２０と接する保持装置１０の内側のスライド面からグラウトが漏れなく、アンカー孔３内をスライドでき、棒状のアンカー筋２０に沿ってスライドできる材質が好ましい。この材質は、グラウトの漏れを止める止水手段の一例で、例えば、ゴム、スポンジ等の軟質の材質が好ましい。また、アンカー筋２０が、リブや節等の凹凸を備えた異形鉄筋の場合、アンカー筋２０の表面の形状に合わせて、保持装置１０の内側が変形して、アンカー筋２０に沿ってスライドできる材質が好ましい。また、保持装置１０の外側は、アンカー孔の内壁面の凹凸があっても、グラウトの漏れを防止し、アンカー孔の内壁をスライドできる材質が好ましい。
【００２３】
また、空気孔１２に取り付けられたエア抜き管ｐ１が抜かれると、空気孔１２が塞がれて、グラウトが漏れ出なくなるような機能を、保持装置１０は有してもよい。例えば、保持装置１０に弾力性があり、エア抜き管ｐ１が抜かれると空気孔１２が塞がる構造である。
【００２４】
グラウトは、例えば無収縮モルタル、合成樹脂等である。グラウトは、注入ガンにセットされ、注入管ｐ２および注入孔１３を介して注入される。
【００２５】
［２．あと施工アンカーの施工手順］
次に、既存コンクリート構造体に、アンカー筋を施工する作業手順ついて、図を用いて説明する。
【００２６】
図５は、実施形態に係るあと施工アンカーの施工手順のフローチャートである。図６Ａから図６Ｇは、実施形態に係るあと施工アンカーの施工手順の説明図である。
【００２７】
先ず、図４に示すように、既存コンクリート構造体１に、施工面２に対して、コアドリル、ハンマードリル等のドリルで、孔底４まで、所定の深さのアンカー孔３を空ける。施工面２に対してアンカー孔３が形成される。保持装置１０が、スライドしやすいようにアンカー孔３内を清掃してもよい。
【００２８】
図５に示すように、保持装置１０がアンカー筋２０に取り付けられる（ステップＳ１）。例えば、図３Ａおよび図３Ｂに示すように、アンカー筋２０の先端部が、保持装置１０の保持孔１１に挿入される。
【００２９】
なお、グラウトｇが触れる保持装置１０の面に、グラウトｇから剥がれやすいように、グリス等の剥離剤が塗られたり、剥離材が貼られたりしてもよい。
【００３０】
このように、硬化後のグラウトｇから保持装置１０を取り外すための剥離手段を保持装置１０の面に施す作業が行われてもよい。
【００３１】
次に、アンカー孔３の孔底４に保持装置１０が当たるまで、アンカー筋２０が取り付けられた保持装置１０が押し込まれる（ステップＳ２）。例えば、図６Ａに示すように、アンカー筋２０の先端部と反対の端が作業者の手に持たれ、作業者が保持装置１０とアンカー筋２０とを、アンカー孔３に押し込む。図６Ｂに示すように、アンカー孔３の孔底４まで、保持装置１０が押し込まれる。このとき、孔底４と保持装置１０との間の空気が、空気孔１２からエア抜き管ｐ１を介して、排出される。空気が排出されることにより、保持装置１０が孔底４まで押し込みやすくなり、孔底４と保持装置１０とが密接しやすくなる。
【００３２】
このように、棒状のアンカー筋２０に沿ってスライド可能に当該アンカー筋２０の先端部に取り付けられた、アンカー筋２０を保持する保持装置１０を、施工面２に予め形成されたアンカー孔３の孔底４までアンカー筋２０と共に押し込む作業が行われる。また、空気孔１２から空気を抜きながら、保持装置１０を押し込む作業が行われてもよい。
【００３３】
次に、グラウトｇが注入される（ステップＳ３）。例えば、図６Ｂに示すように、注入ガンにより、グラウトｇが、注入管ｐ２を介して、注入孔１３から、孔底４と保持装置１０との間に注入される。図６Ｃに示すように、グラウトｇの注入圧力により、保持装置１０が、アンカー筋２０に沿って、アンカー孔３をスライドし始める。なお、グラウトｇが、グラウトポンプで注入されてもよい。
【００３４】
このように、保持装置１０に設けられた注入孔１３から、孔底４と保持装置１０との間にグラウトｇを注入する作業が行われる。
【００３５】
次に、エア抜き管ｐ１からのグラウトｇの漏出確認後、空気孔１２を塞ぐ（ステップＳ４）。図６Ｃに示すように、グラウトｇの注入圧力により、孔底４と保持装置１０との間を充満したグラウトｇが、保持装置１０の空気孔１２からエア抜き管ｐ１を介して、漏れ出てくる。エア抜き管ｐ１からのグラウトｇが漏れ出るのを確認したら、空気孔１２を塞ぐ。例えば、エア抜き管ｐ１を塞いだり、エア抜き管ｐ１を抜くことで保持装置１０の弾力で空気孔１２を塞いだりする。
【００３６】
このように、空気孔１２からグラウトｇが漏れ出た後に、空気孔１２を塞ぐ作業が行われてもよい。
【００３７】
図６Ｄおよび図６Ｅに示すように、アンカー筋２０がアンカー孔３に残ったまま、グラウトｇの注入圧力により、保持装置１０が、アンカー筋２０に沿ってアンカー孔３内を施工面２の方に、グラウトｇの注入に合わせてスライドしていく。
【００３８】
次に、施工面２に保持装置１０が達したところで注入を止める（ステップＳ５）。図６Ｆに示すように、保持装置１０が施工面２に達したところで、グラウトｇの注入を止める。注入管ｐ２が外され、保持装置１０が施工面２に残されたまま、グラウトｇに対する型枠の機能を有する。
【００３９】
このように、グラウトｇの注入により保持装置１０がアンカー孔３をスライドして施工面２まで達したところで、グラウトｇの注入を止める作業が行われる。
【００４０】
次に、グラウトｇの硬化後、保持装置１０を外す（ステップＳ６）。図６Ｇに示すように、キャップの役割をしていた保持装置１０が、施工面２から外される。
【００４１】
次に、施工面２に処理を行う（ステップＳ７）。保持装置１０があったところには、金具を嵌めたり、シーリング処理をしたりする。
【００４２】
上記一連の作業を、機械が行ってもよい。また、注入作業において、使用するグラウトｇの重量、粘性等のグラウトｇの性質に応じて、グラウトポンプの圧力を調節してもよい。また、保持装置１０とアンカー孔３面の摩擦、スライド具合に応じて、グラウトポンプの圧力を調節してもよい。
【００４３】
以上説明したように、実施形態に係るあと施工アンカー施工方法によれば、棒状のアンカー筋２０に沿ってスライド可能にアンカー筋２０の先端部に取り付けられた、アンカー筋２０を保持する保持装置１０を、施工面２に予め形成されたアンカー孔３の孔底４までアンカー筋２０と共に押し込み、保持装置１０に設けられた注入孔１３から、孔底４と保持装置１０との間にグラウトｇを注入し、グラウトｇの注入により保持装置１０がアンカー孔３をスライドして施工面２まで達したところで、グラウトｇの注入を止め、グラウトｇが硬化した後、施工面２から保持装置１０を取り外すことにより、アンカー孔３の奥までグラウトｇを充填でき、かつ、アンカー筋２０を、アンカー孔３内の所定位置に設置できる。特に、アンカー孔３の中心部分にアンカー筋を設置できる。
【００４４】
保持装置１０が、施工面２付近に残り蓋として機能するので、アンカー孔が横向きでも、上向きでも施工可能である。
【００４５】
保持装置１０が、空気抜きの空気孔１２を更に有し、空気孔１２から空気を抜きながら保持装置１０を押し込み、空気孔１２からグラウトｇが漏れ出た後に、空気孔１２を塞ぐ場合、アンカー孔３の奥までグラウトｇを、より充填できる。
【００４６】
空気孔１２にエア抜き管ｐ１が取り付けられた場合、アンカー孔３の外からグラウトｇの充填が確認しやすくなる。なお、エア抜き管ｐ１の長さは、少なくともアンカー孔３の深さより長いことが好ましい。
【００４７】
硬化後のグラウトｇから保持装置１０を取り外すための剥離手段を保持装置１０の面に施した場合、硬化したグラウトｇから保持装置１０を容易に取り外すことができる。
【００４８】
［３．保持装置１０の変形例］
次に、保持装置１０の変形例について図を用いて説明する。
図７Ａおよび図７Ｂは、保持装置１０の第１変形例を示す模式図である。
【００４９】
図７Ａおよび図７Ｂに示すように、アンカー筋２０を施工面２付近で保持する保持装置３０を更に備えてもよい。保持装置３０は、保持装置１０とほぼ同じ構成を有するが、アンカー孔３内をスライドしなくてもよいので、アンカー孔３と接する保持装置３０の外側は異なる構成でもよい。なお、図においてエア抜き管ｐ１は、省略してある。
【００５０】
保持装置１０がアンカー孔３の孔底４まで押し込まれ、グラウトｇが注入管ｐ２から注入されると、図７Ａおよび図７Ｂに示すように、保持装置１０は、アンカー筋２０に沿ってアンカー孔３内をスライドするが、保持装置３０は、グラウトｇの圧力を受けないので施工面２付近で動かない。保持装置１０がスライドしているとき、保持装置３０の空気孔からは、保持装置１０および保持装置３０間の空気が排出される。
【００５１】
保持装置１０が施工面２に達するまでグラウトｇが注入される。このとき、保持装置３０が、保持装置１０により押されてアンカー筋２０をスライドして施工面２の外へ押し出されてもよい。
【００５２】
アンカー筋２０を施工面２側で保持する施工面２用の保持装置３０を取り付ける場合、保持装置１０および保持装置３０により、アンカー筋２０を保持するので、アンカー筋２０がよりアンカー孔３の中心軸付近に設置されやすくなる。
【００５３】
次に、保持装置１０の第２変形例について図を用いて説明する。
図８は、保持装置１０の第２変形例を示す模式図である。
【００５４】
図８に示すように、保持装置１０よりも、アンカー筋２０の長軸方向に長い本体を備える保持装置１０Ａでもよい。施工面用保持装置の一例である保持装置１０Ａは、保持装置３０のような機能も有する。保持装置１０Ａが、アンカー筋２０が長いので、アンカー筋２がよりアンカー孔３の中心軸付近に設置されやすくなる。
【００５５】
次に、保持装置の第３変形例について図を用いて説明する。
図９は、保持装置の第３変形例を模式的に示す平面図である。
【００５６】
図９に示すように、保持装置１０Ｂの外側のスライド面または内側のスライド面に、保持装置１０は、グラウトｇを止水できる止水部ｂ１、ｂ２を備えてもよい。止水手段の一例である止水部ｂ１、ｂ２は、例えば、ブラシやスポンジ等である。止水性を高めるためブラシが複数段、アンカー筋２０の長軸方向に並んでいてもよい。硬い保持装置１０Ｂ本体に、可撓性の止水部ｂ１、ｂ２が設置されていてもよい。
【００５７】
保持装置１０Ｂのアンカー筋２０とのスライド面、および、保持装置１０Ｂのアンカー孔３とのスライド面に、保持装置１０Ｂが、グラウトｇの漏れを止める止水部ｂ１、ｂ２を有する場合、グラウトｇの漏れを、より防止することができる。特に、ブラシやスポンジのように止水部ｂ１、ｂ２が可撓性の場合、アンカー筋２０の面に凹凸があったり、アンカー孔３の面に凹凸があっても、グラウトｇの漏れを止めながら、保持装置１０Ｂがスライドしやすくなる。
【００５８】
なお、保持装置１０の変形例として、空気等でより膨らむ材質でもよい。この場合、例えば、アンカー筋２０の先端部に、リング形状の保持装置の中心部に挿入して、空気等により膨らませて取り付ける。十分膨らませていない保持装置１０が孔底４まで押し込まれた後、グラウトｇを止水でき、かつ、スライドできる程度まで保持装置１０を膨らませる。膨らませることにより、保持装置のスライド性能が変化する。
【００５９】
保持装置が、アンカー孔３とのスライド性能が変化するスライド可変手段を有する場合、例えば、押し込む際に保持装置をアンカー孔に挿入され易くするために、スライド性能を高め、注入する際にはグラウトを止水できる程度にスライド性能を落とすことで、押し込みやすくなる。また、アンカー孔の内壁の状態によって、保持装置の大きさを調整できるので、施工しやすくなる。
【００６０】
さらに、本発明は、上記各実施形態に限定されるものではない。上記各実施形態は、例示であり、本発明の特許請求の範囲に記載された技術的思想と実質的に同一な構成を有し、同様な作用効果を奏するものは、いかなるものであっても本発明の技術的範囲に包含される。
【符号の説明】
【００６１】
２：施工面、３：アンカー孔、４：孔底、１０：保持装置、２０：アンカー筋、ｇ：グラウト
【図１】
2020133310.tif 000003
【図２】
2020133310.tif 000004
【図３Ａ】
2020133310.tif 000005
【図３Ｂ】
2020133310.tif 000006
【図４】
2020133310.tif 000007
【図５】
2020133310.tif 000008
【図６Ａ】
2020133310.tif 000009
【図６Ｂ】
2020133310.tif 000010
【図６Ｃ】
2020133310.tif 000011
【図６Ｄ】
2020133310.tif 000012
【図６Ｅ】
2020133310.tif 000013
【図６Ｆ】
2020133310.tif 000014
【図６Ｇ】
2020133310.tif 000015
【図７Ａ】
2020133310.tif 000016
【図７Ｂ】
2020133310.tif 000017
【図８】
2020133310.tif 000018
【図９】
2020133310.tif 000019